(57)【要約】【課題】従来のスライドファスナーは２空間一組の開閉を主体としていた。スライダーを移動することにより、２つのエレメントを接続、断絶し、ファスナーが開閉することで、奥と、手前の二空間の接続、断絶を行う。しかし、テントや空間の間仕切り等の建築的使用において、一列に三分された空間でファスナーを用いて空間の開閉を行うと、必ず真ん中の空間を通らねばならなくなり、三空間ともに同系の物質又は、空間でなければ使用できないという問題がある。【解決手段】本発明のスライドファスナーは二組の接続したエレメントをスライダーの胴体内部でそれぞれ一旦離し、さらに異組同士のエレメントを接続させることで、一つのスライダーでエレメントの組み替えを行えるようにしてある。【選択図】　　図２５
2004008662.tif 000002
【特許請求の範囲】
【請求項１】
エレメントを有するテープ四つとスライダー一つを有し、スライダーが移動することにより、エレメントを有するテープの接続する組み合わせを組み替えることのできるスライドファスナー
【請求項２】
エレメントを有するテープを四つ用い、第一テープ３ａと第二テープ３ｂのエレメント、第三テープ３ｃと第四テープ３ｄのエレメントがそれぞれ噛み合っている状態を胴体内部で一旦離し、第一テープ３ａと第三テープ３ｃのエレメント、第二テープ３ｂと第四テープ３ｄのエレメントが、それぞれ噛み合う状態に組み替えることを移動することにより行う請求項１記載のスライダー
【発明の詳細な説明】
【０００１】
【発明が属する技術分野】
本発明は従来のスライドファスナーを発展させ、エレメントを有したテープ四本をスライダーが移動することにより、噛み合っていた二対のエレメントを一旦離し、異なる対のエレメントと噛み合うように組み替えを行うスライドファスナーに関するものである。
【０００２】
【従来の技術及び発明が解決しようとする課題】
従来のスライドファスナーは２空間一組の開閉を主体としていた。スライダーを上下または、左右に移動して２つのエレメントを接続、断絶し、ファスナーが開閉することで、奥と、手前の二空間の接続、断絶を行うものである。上記のような姿勢は、テープを二本のみ使用し、衣服などの開閉を主体として用いられるため、テープを組み替えるといった操作は不要である。しかし、テントや空間の間仕切り等の建築的使用において、一列に三分された空間でファスナーを用いて空間の開閉を行うと、必ず真ん中の空間を通らねばならなくなり、三空間ともに同系の物質又は、同系の空間でなければ使用できないという問題がある。
【０００３】
従来のスライダーを四つ組み合わせて本発明と同様にエレメントの組み合わせを組み替えられる構成をとったとしても、それぞれのスライダーを動かす必要があり、容易にすべてのスライダーを動かすことは困難であるといった問題点がある。
【０００４】
建築の分野において田の字型に間仕切られた四空間において、対角線上の空間へは直接移動できず、廊下等の余空間を用いない限り、隣り合う空間を経由して対角線上の空間に移動しなくてはならないといった問題がある。
【０００５】
本発明は上述の問題点を考慮して発明されたものであり、請求項１記載の発明は、エレメントを有するテープ四本の組み合わせを組み替えるスライドファスナーの基本構成を示しているため、オープンファスナーや、自動ファスナー、自動停止機構と組み合わせたスライドファスナーにも応用することが可能であり、それらを含めたスライドファスナーはスライダーが移動することによって容易にエレメントの噛み合う組み合わせを組み替えることが目的である。
【０００６】
【課題を解決するための手段】
上記の課題を解決するために本発明のスライドファスナーは二組の接続したエレメントをスライダーの胴体内部でそれぞれ一旦離し、さらに異組同士のエレメントを接続させることで、一つのスライダーでエレメントの組み替えを行えるようにしてある。
【０００７】
それゆえスライダー胴体内部には、二本の接続されたエレメントを半片に切り離すために案内柱を上下に互いに直行した構成で配置されている。
【０００８】
半片となったエレメントを有するテープが、異組のエレメントを有するテープと接続する際に、同組と分離したばかりのエレメント頭部は異組のエレメント方向を向いておらず、回転させる必要がある。そのために、スライダー胴体内の上下に配置された案内柱の間隔を、エレメントを有するテープがねじりによってエレメント頭部の向きを回転できる程度に空けなければならない。
【０００９】
さらにエレメントの分節、回転、接続の操作を円滑に行うために、スライダーの外装板にガイド溝を形成する必要がある。外装板とは、従来のスライダーの上翼板に値するものである。なお、該ガイド溝は、エレメント頭部の幅よりも狭い幅となっているため、溝と直角方向に荷重をかけてもエレメントが外へ飛び出すことがないようになっている。
【００１０】
また、外装板７の上下部分の全体、又は、一部にエレメントの接続及び切り離しを円滑に行うため、従来スライダーのフランジのような曲面を作り、エレメントを誘導するようになっている。
【発明の実施の形態】
【００１１】
以下に本発明の実施の形態について図面を参照しながら具体的に説明する。図面は著しく図式化され、縮尺は必ずしも正確ではない。
【００１２】
図において本発明のスライドファスナーは、各々が噛合エレメントを有する四本のテープ３を備えている。本図では、噛合エレメントは、各テープの相対する縁部を把持している不連続の金属製エレメントである。該金属製エレメントに代えて縁部に織り込まれた連続するコイル状プラスチック噛合エレメント等の他の構成から成るエレメントを用いてもよい。
【００１３】
請求項１は、スライダーの外観については説いておらず、４本のエレメントを有するテープの組み合わせの組み替えを行うスライダーすべてに適合する。
【００１４】
図１は本発明のスライドファスナーの一例である。なお、図１から図２４においては、理解しやすくするためにスライダー１に引手６と引手取付杆１３とエレメント２は示していない。
【００１５】
外装板７の内面をスライダー胴体長手方向の軸に向けて４つ配置し、外装板７の左右両端を隣り合う外装板７の端部の方向に起立させ、フランジ５と該フランジ５により形成されるガイド溝４を形成する。外装板７ａの内面の上方に案内柱８ａを突出し、外装板７ｃの内面上方に接続する。外装板７ｂの内面の下方から案内柱８ｂを突出し、外装板７ｄの内面下方に接続する。案内柱８ａの下端からスライダー胴体下端部まで連続する仕切部　１２ａを形成する。仕切部１２ａの左右両端は、外装板７ａの内面と外装板７ｃの内面に接続する。案内柱８ｂの上端からスライダー胴体上端部まで連続する仕切部１２ｂを形成する。仕切部１２ｂの左右両端は、外装板７ｂの内面と外装板７ｄの内面に接続する。フランジ５はスライダー胴体の上口９と下口１１へ曲線を描いて漸次中心方向に傾斜する。外装板７・案内柱８・仕切部１２で形作られた、エレメント２の通る通路部１０は、エレメント２頭部が胴体上方では、案内柱８ａの方向に向くように形作られ、スライダー胴体下方では、エレメント頭部が案内柱ｂを向くように形作られる。さらにスライダー胴体上口９から下口１１に続く該通路部１０は、エレメント２が円滑に移動できるように、なめらかに繋がっている。
【００１６】
図３〜図７は図１におけるそれぞれのラインでスライダー胴体を切断したときの断面図である。図３では、噛み合った一対のエレメント２が、スライダー１の内部へと進入するための上口９を、案内柱８ａと外装板７により二つ形成する。フランジ５により形成されるガイド溝４は、テープ３を移動させるための通路の役目を果たすとともに、エレメント２がスライダー１内部から外へ飛び出すことを防ぐ役目を果たしている。なお、上口９の大きさは、噛み合ったエレメント２が通過できる程度の大きさとする。
【００１７】
図４では、上口９から続くエレメント２の通路部の中間部に案内柱８ａを形成することにより、かみ合わさったエレメント２の分節を行う。ここでの通路部１０は、１個のエレメント２が通れる程度の大きさとする。
【００１８】
図５では、分節されたエレメント２の頭部方向を異組のエレメント２の方向に回転させるために、エレメント２を回転させるのに必要な回転半径ほどの大きさとする。
【００１９】
図６は、回転を終えたエレメント２の頭部が、案内柱８ｂを向くように、通路部１０が、外装板７、案内柱８ｂ、仕切板１２ａにより形成される。
【００２０】
図７は、一対のエレメント２が通過するための下口１１が仕切板１２ａと外装板７により２つ形成されている。
【００２１】
図８〜図１４は、本発明のスライドファスナーのスライダーを円筒状にしたものの上下を、フランジ５の曲面とあわせて湾曲させたものであり、図１〜図７と実施の形態は同じである。図１５〜図２１は、本発明のスライドファスナーのスライダーを円筒状にしたものであり、図１〜図７と実施の形態は同じである。
【００２２】
図２２〜図２４は、スライダーの移動とエレメントの噛み合う組み合わせの関係を示した図である。図２５においては、より詳細にスライダーとエレメントの関係を示した図である。本図には、外装板の外側に引手６を取り付ける引手取付杆１３が、各々の外装板７に取り付くことを示している。図２２は、スライダー１がエレメント２の下端にある時の状態を示している。スライダー１の上方では、エレメント２ａとエレメント２ｂ、エレメント２ｃとエレメント２ｄが接続された状態となる。
【００２３】
図２３は、スライダー１がエレメント２の途中にある状態を示している。スライダー１の上方では、エレメント２ａとエレメント２ｂ、エレメント２ｃとエレメント２ｄが接続され、スライダー１の下方では、エレメント２ａとエレメント２ｃ、エレメント２ｄとエレメント２ｄが接続された状態となる。
【００２４】
図２４は、スライダー１がエレメント２の上方にあるときの状態を示している。ここでは、スライダー１の下方では、エレメント２ａとエレメント２ｃ、エレメント２ｂとエレメント２ｄが接続された状態となる。
【００２５】
【発明の効果】
従来のスライドファスナーが、二空間の開閉に用いられていたのに対して、二組二空間の開閉を同時に行うことが出来るのが該スライドファスナーの従来との大きな違いであり、主な効果である。
【００２６】
利用方法としては、二種の質の異なる空間の交差部分に用いるもので、例えばスケールの大きいものでは水槽で囲まれた空間や、店舗のディスプレイ等の間仕切りを貫通するような入口・窓等の開口を作ることが出来る。
【００２７】
スケールを小さくした時の例にバッグの開閉がある。ふつうのバッグは袋に取っ手をつけ、袋の口にファスナーやボタンを用いて開閉を行う。ここに本発明のスライドファスナーを用いるとバッグを開いている時は取っ手部分がなくなり袋状の形態となり、バッグを閉めたときには、開いた部分が取っ手としての役割を果たすようにすることが出来る。
【００２８】
他にもジャッケットやジャンバーのような上着において本発明のスライドファスナーを用いることで、前面を閉めると内部のポケットが繋がるようにすることが出来たり、スカートをズボンの形態に変えることも可能であり、様々な分野に新たな可能性、デザイン性を与えることを期待ができる。
【図面の簡単な説明】
【図１】エレメントの組み替えを行うスライドファスナー用スライダーの斜視図である。
【図２】同上スライダーの一部を破壊した分析斜視図である。
【図３】同上スライダーの横断面図である。
【図４】同上スライダーの横断面図である。
【図５】同上スライダーの横断面図である。
【図６】同上スライダーの横断面図である。
【図７】同上スライダーの横断面図である。
【図８】エレメントの組み替えを行うスライドファスナー用スライダーの斜視図である。
【図９】同上スライダーの一部を破壊した分析斜視図である。
【図１０】同上スライダーの横断面図である。
【図１１】同上スライダーの横断面図である。
【図１２】同上スライダーの横断面図である。
【図１３】同上スライダーの横断面図である。
【図１４】同上スライダーの横断面図である。
【図１５】エレメントの組み替えを行うスライドファスナー用スライダーの斜視図である。
【図１６】同上スライダーの一部を破壊した分析斜視図である。
【図１７】同上スライダーの横断面図である。
【図１８】同上スライダーの横断面図である。
【図１９】同上スライダーの横断面図である。
【図２０】同上スライダーの横断面図である。
【図２１】同上スライダーの横断面図である。
【図２２】同上スライダーがエレメントの下方にある状態を示した説明図である。
【図２３】同上スライダーがエレメントの途中にある状態を示した説明図である。
【図２４】同上スライダーがエレメントの上方にある状態を示した説明図である。
【図２５】同上スライダーとエレメントとの関係を示した説明図である。
【符号の説明】
１　スライダー
２　エレメント
３　テープ
４　ガイド溝
５　フランジ
６　引手
７　外装板
８　案内柱
９　上口
１０　通路部
１１　下口
１２　仕切板
１３　引手取付杆
【図１】
2004008662.tif 000003
【図２】
2004008662.tif 000004
【図３】
2004008662.tif 000005
【図４】
2004008662.tif 000006
【図５】
2004008662.tif 000007
【図６】
2004008662.tif 000008
【図７】
2004008662.tif 000009
【図８】
2004008662.tif 000010
【図９】
2004008662.tif 000011
【図１０】
2004008662.tif 000012
【図１１】
2004008662.tif 000013
【図１２】
2004008662.tif 000014
【図１３】
2004008662.tif 000015
【図１４】
2004008662.tif 000016
【図１５】
2004008662.tif 000017
【図１６】
2004008662.tif 000018
【図１７】
2004008662.tif 000019
【図１８】
2004008662.tif 000020
【図１９】
2004008662.tif 000021
【図２０】
2004008662.tif 000022
【図２１】
2004008662.tif 000023
【図２２】
2004008662.tif 000024
【図２３】
2004008662.tif 000025
【図２４】
2004008662.tif 000026
【図２５】
2004008662.tif 000027